(57)【要約】【課題】ＶＣＯＭ線の配線を太くしたり、ＶＣＯＭ線だけレイアウトに余裕を持たせるような設計を行ったり、画素内の配線をマトリクス構造にしたりしなくても、有効画素駆動期間におけるコモン電位ＶＣＯＭの揺れを抑え、コモン電位ＶＣＯＭの揺れに起因する画質不良を抑制する。【解決手段】プリチャージが行われない期間（水平走査期間）に、インピーダンス切替回路の切替スイッチＩＳＷ１〜ＩＳＷｘによってＶＣＯＭ線４１とプリチャージ線４４とを電気的に接続し、ＶＣＯＭ電極２３およびＣＳ線２４を含むＶＣＯＭ線４１全体の低インピーダンス化を図ることで、有効画素駆動期間におけるコモン電位ＶＣＯＭの揺れを抑える。【選択図】図１
2008139610.tif 000002
【特許請求の範囲】
【請求項１】
液晶セルを含む画素が基板上に行列状に２次元配置され、画素行ごとに走査線が配線され、画素列ごとに信号線が配線されてなる画素アレイ部と、
前記画素アレイ部の各画素を前記走査線を介して行単位で選択走査する第１の駆動手段と、
前記第１の駆動手段によって選択された行の各画素に前記信号線を通して映像信号を書き込む第２の駆動手段と、
前記第２の駆動手段による前記信号線への映像信号の書き込みに先立って当該信号線にプリチャージ信号を書き込むプリチャージ手段と、
前記液晶セルの対向電極に前記画素アレイ部の全画素共通にコモン電位を供給するコモン線と、
前記プリチャージ手段に前記プリチャージ信号を供給するプリチャージ線と、
前記第２の駆動手段による映像信号の書き込み期間に前記コモン線に対して前記プリチャージ線を電気的に接続するスイッチ手段と
を備えたことを特徴とする液晶表示装置。
【請求項２】
前記スイッチ手段は、前記コモン線と前記プリチャージ線との間に接続された複数のスイッチからなる
ことを特徴とする請求項１記載の液晶表示装置。
【請求項３】
前記第２の駆動手段は、前記第１の駆動手段によって選択された行の各画素に対して、前記信号線の本数よりも少ないＮ相で映像信号を相展開して、Ｎ個の画素を単位として書き込む
ことを特徴とする請求項１記載の液晶表示装置。
【請求項４】
前記コモン電位は、１水平期間または１フィールド期間の周期で極性が反転する
ことを特徴とする請求項１記載の液晶表示装置。
【請求項５】
液晶セルを含む画素が基板上に行列状に２次元配置され、画素行ごとに走査線が配線され、画素列ごとに信号線が配線されてなる画素アレイ部と、
前記画素アレイ部の各画素を前記走査線を介して行単位で選択走査する第１の駆動手段と、
前記第１の駆動手段によって選択された行の各画素に前記信号線を通して映像信号を書き込む第２の駆動手段とを備えた液晶表示装置の駆動方法であって、
前記第２の駆動手段による前記信号線への映像信号の書き込みに先立って当該信号線にプリチャージ信号を書き込み、
前記第２の駆動手段による映像信号の書き込み期間に、前記液晶セルの対向電極に前記画素アレイ部の全画素共通にコモン電位を供給するコモン線に対して、前記プリチャージ信号を供給するプリチャージ線を電気的に接続する
ことを特徴とする液晶表示装置の駆動方法。
【発明の詳細な説明】
【技術分野】
【０００１】
本発明は、液晶表示装置および液晶表示装置の駆動方法に関し、特にアクティブマトリクス型の液晶表示装置およびその駆動方法に関する。
【背景技術】
【０００２】
液晶表示装置は、液晶セルに対して電圧を印加することによってコントラストを得るようになっている。液晶セルへの電圧の印加は、アクティブマトリクス型の液晶表示装置においては、画素の領域に容量（補助容量）およびスイッチ素子（画素スイッチ）を設け、補助容量に画素スイッチを介して電荷を充電することによって行われる。
【０００３】
ところで、アクティブマトリクス型の液晶表示装置において、近年、表示装置の高解像度化に伴って液晶パネル内の配線のインピーダンスが高くなるのが問題になっている。また、大画面化に対応した大型の液晶パネルにおいても同様に、液晶パネルの大型化に進むにつれて配線長が相対的に長くなるために必然的に液晶パネル内の配線のインピーダンスが高くなる。
【０００４】
液晶パネルにおいて、ＶＣＯＭ線は、液晶セルの対向電極として全画素に対して共通に配線（いわゆるベタ配線）され、当該対向電極に対してコモン電位ＶＣＯＭを供給する作用を為すだけでなく、画素の補助容量Ｃｓに対してもコモン電位ＶＣＯＭを供給する作用を為すために画素内にもＣＳ線として配線されている。
【０００５】
このため、液晶パネル内の配線のうち、特にＶＣＯＭ線の配線長が長くなって画質不良を招く原因となる。コモン電位ＶＣＯＭは画素に供給される電位となるために、コモン電位ＶＣＯＭの変動が直接画として現れ、画質に影響を及ぼす。したがって、ＶＣＯＭ線のインピーダンスの低減が求められる。
【０００６】
ここで、コモン電位ＶＣＯＭの変動に起因する代表的な画質不良としては、横クロストークと呼ばれる画質不良が挙げられる。例えば、水平走査駆動時において、映像信号の相展開駆動時の信号線への書き込みの際における信号線の電位の揺れがコモン電位ＶＣＯＭと容量カップリングを起こすことによってコモン電位ＶＣＯＭが揺らされ、このコモン電位ＶＣＯＭの揺れによって補助容量Ｃｓの保持電圧が変動したりするために、横クロストークなどの画質不良が発生する。
【０００７】
コモン電位ＶＣＯＭの揺れは、ＶＣＯＭ線のインピーダンスが高いほど大きくなる。また、ウィンドウ帯や尾引きと呼ばれる画質不良も同様で、これらも駆動時の相展開に起因するコモン電位ＶＣＯＭの揺れが画質不良として現れる。
【０００８】
ここで、相展開駆動とは、水平方向の画素数ｎに応じてｎ本の信号線を画素アレイ部に配線したうえで、ビデオ線をｎ本よりも少ない本数Ｎ（Ｎ≪ｎ）だけ液晶パネル上に配線し、外部から映像信号をＮ相に展開して入力する一方、Ｎ本のビデオ線と画素アレイ部のｎ本の信号線との間にスイッチ回路をＮ個単位で配置し、これらＮ個単位のスイッチ回路を同じスイッチ制御信号を用いて同時に駆動することで、選択行の各画素に対してＮ個の画素を単位として、Ｎ相展開された映像信号を同時に書き込む駆動法である（例えば、特許文献１参照）。
【０００９】
【特許文献１】特開２００３−３２３１６０号公報
【発明の開示】
【発明が解決しようとする課題】
【００１０】
これらコモン電位ＶＣＯＭの揺れに起因する画質不良を抑えるべく、ＶＣＯＭ線のインピーダンスを低減するために、一般的には、ＶＣＯＭ線の配線をできるだけ太くし、液晶パネル内の隅々までレイアウトするようにしている。しかし、液晶パネルのチップサイズの小型化や高解像度化によりレイアウト面積の確保が困難になってきており、配線を太くしてＶＣＯＭ線のインピーダンスの低減を図るのにも限界があり、またＶＣＯＭ線だけレイアウトに余裕を持たせるような設計ができない。
【００１１】
また、ＶＣＯＭ線は画素内の補助容量の電極として使用されるため、画素内の配線をマトリクス構造にして配線抵抗を下げる手法も、ＶＣＯＭ線のインピーダンスの低減を図る一つの手法としてある。しかし、画素内の配線をマトリクス構造にすると、画素の開口率が低下し、透過率特性が低下する弊害がある。また、ＶＣＯＭ線の端子を増やすることでインピーダンスを下げることもできるが、低消費電力化の点で難がある。
【００１２】
そこで、本発明は、ＶＣＯＭ線の配線を太くしたり、ＶＣＯＭ線だけレイアウトに余裕を持たせるような設計を行ったり、画素内の配線をマトリクス構造にしたりしなくても、有効画素駆動期間におけるコモン電位ＶＣＯＭの揺れを抑え、コモン電位ＶＣＯＭの揺れに起因する画質不良を抑制可能とした液晶表示装置およびその駆動方法を提供することを目的とする。
【課題を解決するための手段】
【００１３】
上記目的を達成するために、本発明では、液晶セルを含む画素が基板上に行列状に２次元配置され、画素行ごとに走査線が配線され、画素列ごとに信号線が配線されてなる画素アレイ部と、前記画素アレイ部の各画素を前記走査線を介して行単位で選択走査する第１の駆動手段と、前記第１の駆動手段によって選択された行の各画素に前記信号線を通して映像信号を書き込む第２の駆動手段とを備えた液晶表示装置において、前記第２の駆動手段による前記信号線への映像信号の書き込みに先立って当該信号線にプリチャージ信号を書き込み、前記第２の駆動手段による映像信号の書き込み期間に、前記液晶セルの対向電極に前記画素アレイ部の全画素共通にコモン電位を供給するコモン線に対して、前記プリチャージ信号を供給するプリチャージ線を電気的に接続する構成を採っている。
【００１４】
上記構成の液晶表示装置において、第２の駆動手段による映像信号の書き込み期間に、コモン線（ＶＣＯＭ線）に対してプリチャージ線を電気的に接続することで、プリチャージ線の配線面積だけコモン線全体の配線面積が増加するために、配線面積の増加分だけコモン線のインピーダンスを低減できる。すなわち、コモン線の配線を太くしたり、コモン線だけレイアウトに余裕を持たせるような設計を行ったり、画素内の配線をマトリクス構造にしたりしなくても、コモン線のインピーダンスを低減できる。
【発明の効果】
【００１５】
本発明によれば、コモン線の配線を太くしたり、コモン線だけレイアウトに余裕を持たせるような設計を行ったり、画素内の配線をマトリクス構造にしたりしなくても、コモン線のインピーダンスを低減でき、その結果、映像信号の書き込み期間におけるコモン電位ＶＣＯＭの揺れを抑えることができるために、コモン電位ＶＣＯＭの揺れに起因する画質不良を抑制できる。
【発明を実施するための最良の形態】
【００１６】
以下、本発明の実施の形態について図面を参照して詳細に説明する。
【００１７】
図１は、本発明の一実施形態に係るアクティブマトリクス型液晶表示装置の構成例を示すシステム構成図である。ここで、液晶表示装置は、少なくとも一方が透明な２枚の基板（図示せず）が対向して配置され、これら２枚の基板間に液晶が封入されたパネル構造となっている。
【００１８】
図１において、画素１０は、例えばＴＦＴ(Thin Film Transistor;薄膜トランジスタ)からなる画素トランジスタ１１と、この画素トランジスタ１１のドレイン電極に画素電極が接続された液晶セル１２と、この液晶セル１２の画素電極に一方の電極が接続された補助容量１３とを有し、一方の基板上に行列状（マトリクス状）に多数配置されて画素アレイ部２０を形成している。ここで、液晶セル１２は、画素電極とこれに対向して形成される対向電極との間で発生する液晶容量を意味する。
【００１９】
画素アレイ部２０には、ｍ行ｎ列の画素配列に対して画素行ごとに走査線２１−１〜２１−ｍが配線され、画素列ごとに信号線２２−１〜２２−ｎが配線されている。そして、行列状に配置された画素１０の各々において、画素トランジスタ１１のゲート電極が走査線２１−１〜２１−ｍに接続され、ソース電極が信号線２２−１〜２２−ｎに接続されている。
【００２０】
液晶セル１２の対向電極は、他方の基板（対向基板）に全画素に対して共通に、ＩＴＯ(Indium Tin Oxide)等によって形成されたいわゆるベタ配線のＶＣＯＭ電極２３となっている。このＶＣＯＭ電極２３には、後述するコモン電位ＶＣＯＭが印加される。画素アレイ部２０にはさらに、補助容量１３の他方の電極に対してコモン電位ＶＣＯＭを供給するＣＳ線２４が、例えば画素行ごとに配線されている。
【００２１】
画素アレイ部２０の各画素１０を駆動する駆動回路として、レベルシフト回路３１、垂直（Ｖ）ドライバ３２、水平（Ｈ）ドライバ３３、水平スイッチ回路３４、プリチャージ制御回路３５、プリチャージ回路３６およびインピーダンス切替回路３７が、画素アレイ部２０と同じ基板（パネル）３８上に設けられている。
【００２２】
そして、基板３８の最外周部には、基板３８の例えば３辺に沿ってコモン線（以下、「ＶＣＯＭ線」と記述する）４１が配線されている。このＶＣＯＭ線４１は、導通物（コンタクト部）４２を介してＶＣＯＭ電極２３と接続されるとともに、ＣＳ線２４と直接に接続され、基板３８の外部から２つのＶＣＯＭ端子ＶＣＯＭ−Ｌ，ＶＣＯＭ−Ｒに入力されるコモン電位ＶＣＯＭを液晶セル１２の対向電極および補助容量１３の他方の電極に供給する。
【００２３】
ここで、ＶＣＯＭ電極２３およびＣＳ線２４は、ＶＣＯＭ線４１と電気的に接続されていることから、ＶＣＯＭ線４１の一部と見なすことができる。そして、ＶＣＯＭ電極２３およびＣＳ線２４の各配線インピーダンスも、ＶＣＯＭ線４１の全体のインピーダンスを決める要素となる。なお、導通物４２によるＶＣＯＭ線４１とＶＣＯＭ電極２３との接続箇所は、図１に示す一箇所に限られるものではない。
【００２４】
レベルシフト回路３１は、基板３８の外部から入力される信号を、画素２０の駆動に必要なレベルの信号にレベルシフト（レベル変換）する。基板３８の外部からレベルシフト回路３１に入力される信号としては、プリチャージ制御信号ＰＣＧ、垂直クロック信号ＶＣＫ、垂直スタート信号ＶＳＴ、水平クロック信号ＨＣＫ、水平スタート信号ＨＳＴ等が挙げられる。
【００２５】
垂直ドライバ３２は第１の駆動手段であり、例えばシフトレジスタによって構成され、レベルシフト回路３１から垂直スタート信号ＶＳＴが与えられると、同じくレベルシフト回路３１から与えられる垂直クロック信号ＶＣＫに同期して順次次段の転送段にパルスを転送し、各転送段から画素アレイ部２０の各画素１０を行単位で選択走査するための走査パルスを出力する。この走査パルスは、走査線２１−１〜２１−ｍを介して各画素１０に行単位で順に与えられることで、各画素１０の画素トランジスタ１２を行単位でオン／オフ駆動する。
【００２６】
水平ドライバ３３は、例えばシフトレジスタによって構成され、レベルシフト回路３１から水平スタート信号ＨＳＴが与えられると、同じくレベルシフト回路３１から与えられる水平クロック信号ＨＣＫに同期して順次次段の転送段にパルスを転送し、各転送段から水平スイッチ回路３４の各水平スイッチを駆動する水平スイッチパルスを所定のタイミングで出力する。
【００２７】
本液晶表示装置は、駆動方式として、例えば相展開駆動の方式を採っている。そのために、基板（パネル）３８上には、画素アレイ部２０の水平方向の画素数ｎに応じて配線されたｎ本の信号線２２−１〜２２−ｎに対してｎ本よりも少ない本数、例えば３本のビデオ線４３−１，４３−２，４３−３が配線されている。そして、これら３本のビデオ線４３−１，４３−２，４３−３に対して、基板３８の外部から３相に展開された映像信号ＳＩＧ１，ＳＧ２，ＳＩＧ３が入力される。
【００２８】
水平スイッチ回路３４は、３本のビデオ線４３−１，４３−２，４３−３とｎ本の信号線２２−１〜２２−ｎとの間に配置された水平スイッチＨＳＷ１〜ＨＳＷｎによって構成され、例えば隣り合う３個のスイッチを単位としている。水平スイッチＨＳＷ１〜ＨＳＷｎとしては、例えばＣＭＯＳスイッチが用いられる。
【００２９】
この水平スイッチ回路３４は、３個のスイッチ（ＨＳＷ１〜ＨＳＷ３，…，ＨＳＷｎ−２〜ＨＳＷｎ）を単位として、水平ドライバ３３から順に出力される水平スイッチパルスによってオン／オフ駆動されることで、垂直ドライバ３２による選択行の各画素１０に対して３個の画素を単位として、３相展開された映像信号ＳＩＧ１，ＳＧ２，ＳＩＧ３を同時に書き込む。水平ドライバ３３と水平スイッチ回路３４とは、第２の駆動手段を構成している。
【００３０】
ここで、液晶表示装置では、液晶に同極性の直流電圧が印加され続けることによって液晶の比抵抗（物質固有の抵抗値）等が劣化するのを防ぐために、コモン電位(シグナルセンター)ＶＣＯＭを中心に１Ｈ（Ｈは水平期間）周期または１Ｆ（Ｆはフィールド期間）周期で映像信号の極性を反転する交流駆動法が採られる。すなわち、映像信号ＳＩＧ１，ＳＧ２，ＳＩＧ３は、交流化されたアナログ映像信号である。
【００３１】
基板３８上のＶＣＯＭ線４１の内側には、基板３８の例えば３辺に沿ってプリチャージ線４４が配線されている。このプリチャージ線４４は、基板３８の外部から２つのプリチャージ端子Ｐｓｉｇ＿Ｌ，Ｐｓｉｇ＿Ｒに入力されるプリチャージ信号Ｐｓｉｇを、画素アレイ部２０を挟んで水平ドライバ３３と反対側、パネルのフレキシブル基板側（パッド側）と反対側に配置されたプリチャージ回路３６に供給する。
【００３２】
プリチャージ端子Ｐｓｉｇ＿Ｌ，Ｐｓｉｇ＿Ｒは、ＶＣＯＭ端子ＶＣＯＭ−Ｌ，ＶＣＯＭ−Ｒと同様に２入力であり、プリチャージ線４４によって基板（パネル）３８内で電気的に接続された状態にある。このように、プリチャージ信号Ｐｓｉｇについて２入力の形態を採ることで、一般的に、プリチャージ信号Ｐｓｉｇに対するプリチャージ線４４のインピーダンスの影響を半減できるために、プリチャージ能力を高めることができる。
【００３３】
なお、プリチャージ信号Ｐｓｉｇの入力形態については２入力の形態に限られるものではなく、１入力の形態であっても、３入力以上の形態であってもよい。
【００３４】
プリチャージ制御回路３５は、レベルシフト回路３１から与えられるプリチャージ制御信号ＰＣＧに基づいて、プリチャージ回路３６およびインピーダンス切替回路３７を制御する制御信号を所定のタイミングで出力する。
【００３５】
プリチャージ回路３６は、画素アレイ部２０の画素配列の列数ｎに対応したｎ個のプリチャージスイッチＰＳＷ１〜ＰＳＷｎが、信号線２２−１〜２２−ｎの各々とプリチャージ線４４との間に接続されることによって構成されている。プリチャージスイッチＰＳＷ１〜ＰＳＷｎとしては、例えばＣＭＯＳスイッチが用いられる。
【００３６】
このプリチャージ回路３６は、水平スイッチ回路３４による信号線２２−１〜２２−ｎへの映像信号の書き込みに先立って、一般的に水平走査駆動前に、プリチャージ制御回路３５から出力される互いに逆相の制御信号に応答してプリチャージスイッチＰＳＷ１〜ＰＳＷｎがオンすることにより、プリチャージ線４４を通して供給されるプリチャージ信号Ｐｓｉｇを信号線２２−１〜２２−ｎに書き込む（プリチャージ）。
【００３７】
ここで、プリチャージを行わない場合、即ち映像信号の書き込みに先立って信号線２２−１〜２２−ｎにあらかじめプリチャージ信号Ｐｓｉｇを書き込まない場合を考えると、例えば１Ｈ反転駆動を行う際に、信号線２２−１〜２２−ｎへの映像信号の書き込みによる充放電電流が大きいと、縦スジなどのノイズとなって表示画面上に現れることになる。
【００３８】
これに対して、映像信号の書き込みに先立って信号線２２−１〜２２−ｎにあらかじめプリチャージ信号Ｐｓｉｇを書き込む、一般的には、ノーマリホワイト型ではグレーレベルまたは黒レベルをプリチャージ電位Ｐｓｉｇとして書き込むことにより、引き続き行われる映像信号の書き込みによる充放電電流を抑えることができるために、縦スジなどのノイズを低減できることになる。
【００３９】
１Ｈ反転駆動の場合の一般的なプリチャージの駆動タイミングを図２に示す。プリチャージは、有効画素書き込み後のブランキング期間に行われる。画素トランジスタ１１がオフし、信号線２２−１〜２２−ｎと液晶セル１２の画素電極が導通していないタイミングで、信号線２２−１〜２２−ｎに対してプリチャージ電位Ｐｓｉｇを書き込む。
【００４０】
具体的には、プリチャージ期間（ＰＣＧ期間）に黒電位（ＰＳＩＧ−Ｂｌａｃｋ）とグレー電位（ＰＳＩＧ−Ｇｒｅｙ）とをプリチャージ電位Ｐｓｉｇとして信号線２２−１〜２２−ｎに書き込む。一般に、黒電位はクロストーク対策に、グレー電位は縦スジ対策に有効である。
【００４１】
インピーダンス切替回路３７は、ＶＣＯＭ線４１とプリチャージ線４４との間に接続された複数ｘの切替スイッチＩＳＷ１〜ＩＳＷｘによって構成されている。ここでは、切替スイッチＩＳＷ１〜ＩＳＷｘとして、例えばＣＭＯＳスイッチが用いた構成を採っているが、片チャンネルトランジスタを用いたスイッチ構成であってもよい。
【００４２】
切替スイッチＩＳＷ１〜ＩＳＷｘの各々には、プリチャージ制御回路３５から出力されるプリチャージスイッチＰＳＷ１〜ＰＳＷｎを駆動するための互いに逆相の制御信号が、インバータ４５，４６でそれぞれ極性反転されて与えられる。
【００４３】
これにより、切替スイッチＩＳＷ１〜ＩＳＷｘは、プリチャージスイッチＰＳＷ１〜ＰＳＷｎがオン状態のときオフ状態となり、プリチャージスイッチＰＳＷ１〜ＰＳＷｎがオフ状態のときオン状態となる、具体的には、プリチャージ期間でオフ状態となり、有効画素書き込み期間（水平走査期間）でオン状態となる。
【００４４】
ここでは、プリチャージ制御回路３５から出力されるプリチャージスイッチＰＳＷ１〜ＰＳＷｎを駆動する制御信号の逆極性の制御信号を生成し、当該信号によって切替スイッチＩＳＷ１〜ＩＳＷｘを駆動するようにしているが、有効画素書き込み期間（水平走査期間）で切替スイッチＩＳＷ１〜ＩＳＷｘをオンさせる制御信号を基板３８の外部から入力する構成を採ることも可能である。
【００４５】
ここで、２つのプリチャージ端子Ｐｓｉｇ＿Ｌ，Ｐｓｉｇ＿Ｒからプリチャージ線４４に入力されるプリチャージ電位Ｐｓｉｇは、プリチャージ期間に使われる電位であることから、プリチャージ期間では意図する電位である必要があるものの、有効画素書き込み期間では意図する電位である必要はなく、当該有効画素書き込み期間における電位に規定はない。したがって、プリチャージ線４４は、有効画素書き込み期間は他の回路動作に何ら影響を及ぼさない状態（いわゆる、遊んでいる状態）にある。
【００４６】
この点に鑑み、本発明では、インピーダンス切替回路３７による作用により、図３に示すように、プリチャージが行われない期間（水平走査期間）に、ＶＣＯＭ線４１とプリチャージ線４４とを電気的に接続し、プリチャージ線４４の電位をコモン電位ＶＣＯＭになるように設定する。つまり、プリチャージ期間は通常のプリチャージを行い、プリチャージを行わない水平走査期間（有効画素書き込み期間）は、プリチャージ線４４をプリチャージの駆動として使っていないために、この水平走査期間にプリチャージ線４４の電位をコモン電位ＶＣＯＭに設定する。
【００４７】
このように、画素アレイ部２０の選択行の各画素１０に映像信号を書き込む水平走査期間にＶＣＯＭ線４１とプリチャージ線４４とを電気的に接続することで、ＶＣＯＭ線４１からプリチャージ線４４にコモン電位ＶＣＯＭが供給され、結果的に、プリチャージ線４４の配線面積だけＶＣＯＭ電極２３およびＣＳ線２４を含むＶＣＯＭ線４１の全体の配線面積が増加し、配線面積の増加分だけＶＣＯＭ線４１全体の低インピーダンス化が図られるとともに、配線の駆動能力が向上する。
【００４８】
これにより、相対的にコモン電位ＶＣＯＭが強化され、コモン電位ＶＣＯＭの揺れを抑えることができるために、液晶パネルのチップサイズの小型化や高解像度化によりＶＣＯＭ線４１のレイアウト面積の確保が困難になったとしても、ＶＣＯＭ線４１の配線を太くしたり、ＶＣＯＭ線４１だけレイアウトに余裕を持たせるような設計を行ったり、画素内の配線をマトリクス構造にしたりしなくても、有効画素駆動時のコモン電位ＶＣＯＭの揺れに起因する「横クロストーク」と呼ばれるクロストーク類や、映像信号をサンプリングするときのサンプルホールドずれのゴーストや、ブロック内のコモン電位ＶＣＯＭの揺れによる「ウィンドウ帯」と呼ばれる画質不良を抑制することができる。
【００４９】
また、コモン電位ＶＣＯＭが強化されることで、コモン電位ＶＣＯＭのドリフトも抑制することができる。本実施形態に係る液晶表示装置では、ＶＣＯＭ線４１が基板３８の左右両側に設けられたＶＣＯＭ端子ＶＣＯＭ−Ｌ，ＶＣＯＭ−Ｒからの２入力、プリチャージ線４４も基板３８の左右両側に設けられたプリチャージ端子Ｐｓｉｇ＿Ｌ，Ｐｓｉｇ＿Ｒからの２入力となっており、これらＶＣＯＭ線４１およびプリチャージ線４４が切替スイッチＩＳＷ１〜ＩＳＷｘによって電気的に接続されるために、コモン電位ＶＣＯＭの強化の効果としては大きい。
【００５０】
特に、画質不良は、水平走査期間内におけるノイズがコモン電位ＶＣＯＭに重畳され、これらが画質不良として現れるために、ＶＣＯＭ線４１とプリチャージ線４４とを電気的に接続する駆動によって水平走査期間内のコモン電位ＶＣＯＭを強化する意義は大きい。また、プリチャージについても通常通り行うことができ、ＶＣＯＭ線４１とプリチャージ線４４とを電気的に接続することによる弊害もない。
【００５１】
図２および図３では、１Ｈ反転駆動の場合を例に挙げたが、本発明の構成は、１Ｈ反転駆動の液晶表示装置に限らず、フィールド反転駆動の液晶表示装置にも、さらにはコモン電位ＶＣＯＭの極性を１Ｈ周期または１Ｆ周期で反転させるＶＣＯＭ−１Ｈ反転駆動やＶＣＯＭ−１Ｆ反転駆動など、液晶表示装置における様々な駆動において適用でき、その効果が期待できる。
【００５２】
特に、本発明の構成は、近年の液晶パネルの小型化による狭ピッチパネル、液晶パネルの大型化によるＶＣＯＭ線４１の配線抵抗の高抵抗化、ＶＣＯＭ反転などのＶＣＯＭ線４１の高抵抗化による弊害を解決するのに有効な手段となる。
【００５３】
また、ＶＣＯＭ−１Ｈ反転やＶＣＯＭ−１Ｆ反転の駆動方式を採用すると、よく知られているように、液晶およびそれを駆動する駆動系の低電圧化が可能となり、それに伴って映像信号の信号レベルも他の駆動方式を採用する場合よりも低くなる。これにより、コモン電位ＶＣＯＭの僅かな揺れが、他の駆動方式を採用する場合よりも大きく画質に悪影響を及ぼすことになる。このような観点から、ＶＣＯＭ反転駆動方式を採る液晶表示装置では特に、ＶＣＯＭ線４１のインピーダンスを低減し、コモン電位ＶＣＯＭの揺れを抑えることによる効果は大きいと言える。
【００５４】
なお、上記実施形態では、複数の切替スイッチＩＳＷ１〜ＩＳＷｘによってＶＣＯＭ線４１とプリチャージ線４４とを電気的に接続するとしたが、切替スイッチＩＳＷの数は複数に限られるものではなく、１個であっても良い。
【００５５】
ただし、ＶＣＯＭ線４１とプリチャージ線４４との間に切替スイッチＩＳＷを複数設けた方が、ＶＣＯＭ線４１とプリチャージ線４４とを短絡したに電流経路を多く形成でき、ＶＣＯＭ線４１に電位変動があったときに、多くの電流経路を通してＶＣＯＭ線４１からプリチャージ線４４に電流を流すことができるために、ＶＣＯＭ線４１の電位変動を抑える上で有利である。
【００５６】
また、上記実施形態では、３相展開の相展開駆動方式を採る液晶表示装置に適用した場合を例に挙げて説明したが、相展開数は３相に限られるものではなく、また相展開駆動方式を採る液晶表示装置への適用に限られるものではない。
【００５７】
ただし、相展開駆動方式の場合には、特に大画面化や高解像度化に伴って画素数が増えると、映像信号の書き込み期間の制約から一度に書き込む画素数（相展開数）が増えるために、この画素数を単位に一度に映像信号を書き込むことになる。したがって、映像信号の相展開駆動時の信号線への書き込みの際に信号線の電位が揺れ、この信号線の電位揺れがコモン電位ＶＣＯＭと容量カップリングを起こすことによってコモン電位ＶＣＯＭが揺らされる。
【００５８】
このような観点から、本発明の技術、即ち画素アレイ部２０の選択行の各画素１０に映像信号を書き込む水平走査期間にＶＣＯＭ線４１とプリチャージ線４４とを電気的に接続し、ＶＣＯＭ線４１の低インピーダンス化を図る技術は、特に映像信号の書き込み時にコモン電位ＶＣＯＭの揺れが顕著に現れ易い相展開駆動方式の液晶表示装置に適用することで、その効果を十全に発揮することができる。
【図面の簡単な説明】
【００５９】
【図１】本発明の一実施形態に係るアクティブマトリクス型液晶表示装置の構成例を示すシステム構成図である。
【図２】一般的なプリチャージの駆動タイミングを示すタイミング波形図である。
【図３】本発明の一実施形態に係るプリチャージの駆動タイミングを示すタイミング波形図である。
【符号の説明】
【００６０】
１０…画素、１１…画素トランジスタ、１２…液晶セル、１３…補助容量、２０…画素アレイ部、２１−１〜２１−ｍ…走査線、２２−１〜２２−ｎ…信号線、２３…ＶＣＯＭ電極、２４…ＣＳ線、３１…レベルシフト回路、３２…垂直（Ｖ）ドライバ、３３…水平（Ｈ）ドライバ、３４…水平スイッチ回路、３５…プリチャージ制御回路、３６…プリチャージ回路、３７…インピーダンス切替回路、３８…基板（パネル）、４１…ＶＣＯＭ線、４２…導電物（コンタクト部）、４３−１，４３−２，４３−３…ビデオ線、４４…プリチャージ線
【図１】
2008139610.tif 000003
【図２】
2008139610.tif 000004
【図３】
2008139610.tif 000005